(57)【要約】      （修正有）【課題】優れた垢落とし効果と優れたマッサージ効果が同時に得られる浴用肌擦り具を提供する。【解決手段】複数の球体３が、肌擦り本体２に対し、該肌擦り本体２の弾性を利用してその厚さ方向に沈み込ませて取り付けられ、球体３同士の間には肌擦り面１２が延在する。そして、前記肌擦り本体２を肌に当てると、前記肌擦り面１２と前記各球体３とが共に肌に接触する。このため、前記肌擦り本体２を肌に当てた状態で肌に沿って動かすと、前記肌擦り面１２によって垢落とし効果が得られ、併せて、前記各球体３によってマッサージ効果も得られる。【選択図】図１
0003154701.tif 000002
【実用新案登録請求の範囲】
【請求項１】
厚さ方向の弾性を有する肌擦り本体（２）と、該肌擦り本体（２）の弾性を利用してその厚さ方向に沈み込ませて分布させられる複数の球体（３）と、該複数の球体（３）間に延在する肌擦り面（１２）と、を備え、前記肌擦り本体（２）を肌に当てることにより、前記肌擦り面（１２）と前記各球体（３）とが共に肌に接触する、浴用肌擦り具。
【請求項２】
前記肌擦り本体（２）は、スポンジ（６ａ）と、該スポンジ（６ａ）に重なる基板（７）と、を備え、前記各球体（３）と前記基板（７）とが前記スポンジ（６ａ）を貫通する結束バンド（８）で互いに連結されている、請求項１に記載の浴用肌擦り具。
【請求項３】
前記肌擦り本体（２）は、一方の面（２ａ）にのみ前記複数の球体（３）を有し、他方の面（２ｂ）が肌擦り専用面とされている、請求項１又は２に記載の浴用肌擦り具。
【請求項４】
前記肌擦り本体（２）から互いに逆方向へと延びる背中擦り用ベルト（４，４）を備える、請求項１，２又は３に記載の浴用肌擦り具。
【考案の詳細な説明】
【技術分野】
【０００１】
本発明は、入浴時等に身体を洗うために用いる浴用肌擦り具に関する。
【背景技術】
【０００２】
浴用肌擦り具として、化学繊維や布地等の垢擦りタオルの素材に、径６ｍｍ前後の小球を２〜３ｃｍの間隔に取り付けつけたものが提案されている（特許文献１）。その具体的な態様として、珪素系樹脂で形成された弾力性ある小球を、垢擦りタオルの素材で両側から縫製固定したものや、垢擦りタオルの製造時に、前記小球をタオル素材地に包み込む形式のもの等が提案されている。これらの提案において、前記小球は、垢落とし効果を向上させるとともに、身体へのマッサージ作用をも奏するものとされている。
【０００３】
また、帯状の指圧具として、二本の紐状体の間に多数の支持紐を取り付け、各支持紐に指圧球を二個又は三個ずつ遊嵌させ、前記紐状体の両端に把手を形成したものも提案されている（特許文献２）。
【先行技術文献】
【特許文献】
【０００４】
【特許文献１】特開２００６−２７１９４４号公報
【特許文献２】特開平６−３９０１０号公報
【考案の概要】
【考案が解決しようとする課題】
【０００５】
しかしながら、特許文献１に記載のものは、小球の径が６ｍｍ前後と小さく、しかも小球がタオル素材で覆われているので、マッサージ効果が薄いという問題がある。
【０００６】
一方、特許文献２に記載のものは、指圧具であるため、垢落とし効果は奏されない。
【０００７】
本考案は、前記の如き事情に鑑みてなされたもので、優れた垢落とし効果と優れたマッサージ効果が同時に得られる浴用肌擦り具を提供しようとするものである。
【課題を解決するための手段】
【０００８】
前記課題を解決するため、本考案に係る浴用肌擦り具は、厚さ方向の弾性を有する肌擦り本体と、該肌擦り本体の弾性を利用してその厚さ方向に沈み込ませて分布させられる複数の球体と、該複数の球体間に延在する肌擦り面と、を備え、前記肌擦り本体を肌に当てることにより、前記肌擦り面と前記各球体とが共に肌に接触することを特徴とする（請求項１）。
【０００９】
本考案によれば、前記各球体が、前記肌擦り本体に対し、該肌擦り本体の弾性を利用してその厚さ方向に沈み込ませて取り付けられ、球体同士の間には肌擦り面が延在する。そして、前記肌擦り本体を肌に当てると、前記肌擦り面と前記各球体とが共に肌に接触する。このため、前記肌擦り本体を肌に当てた状態で肌に沿って動かすと、前記肌擦り面によって垢落とし効果が得られ、併せて、前記各球体によってマッサージ効果も得られる。
【００１０】
なお、本考案に係る肌擦り具は、浴用として用いるのが最も普通であるが、これに限定される理由はなく、乾布摩擦など、浴室以外の場所でも使用できることはもちろんである。
【００１１】
好適な実施の一形態として、前記肌擦り本体は、スポンジと、該スポンジに重なる基板と、を備え、前記各球体と前記基板とが前記スポンジを貫通する結束バンドで互いに連結されている態様を例示する。この実施の形態は、前記肌擦り本体への前記各球体の取付態様の一例である（請求項２）。
【００１２】
好適な実施の一形態として、前記肌擦り本体は、一方の面にのみ前記複数の球体を有し、他方の面が肌擦り専用面とされる態様を例示する（請求項３）。このようにすれば、前記一方の面を肌に当てて使用することで、垢落とし効果とマッサージ効果が得られ、前記他方の面を肌に当てて使用することで、垢落とし効果が得られる。したがって、前記一方の面と前記他方の面を必要に応じて選択して使用することで異なる効果が得られる。
【００１３】
好適な実施の一形態として、前記肌擦り本体から互いに逆方向へと延びる背中擦り用ベルトを備える態様を例示する（請求項４）。この場合、前記背中擦り用ベルトの外端部を手に持って、前記肌擦り本体で背中を擦ることができる。
【００１４】
なお、前記背中擦り用ベルトには、ほぼ平行な二本の紐の先端に把手を設けたものも含まれるものとする。
【図面の簡単な説明】
【００１５】
【図１】本発明の実施の一形態に係る浴用肌擦り具の平面図である。
【図２】図１の肌擦り具のＩＩ−ＩＩ矢視拡大断面図である。
【考案を実施するための形態】
【００１６】
以下、添付図面を参照して、本考案の実施の一形態について説明する。
【００１７】
図１に示すように、本発明の実施の一形態に係る浴用肌擦り具１は、肌擦り本体２と、該肌擦り本体２の表面２ａに取り付けられる複数の球体３と、前記肌擦り本体２から互いに逆方向へと延びる背中擦り用ベルト４，４を備える。該各背中擦り用ベルト４の外端部には、ループ状の把手５が付いている。前記背中擦り用ベルト４と把手５との結合体の等価物として、ほぼ平行な二本の紐の先端に把手を設けたものを用いることもできる。
【００１８】
図２に示すように、前記肌擦り本体２は、厚さ方向の弾性を有し、一方の面である前記表面２ａに前記複数の球体３を有し、他方の面である裏面２ｂは通常のボディスポンジと同様の肌擦り専用面とされている。前記肌擦り本体２の大きさは、握って使用することもできるように、掌サイズとするのがよい。
【００１９】
前記肌擦り本体２は、スポンジ６ａと、該スポンジ６ａに重なる基板７と、を備え、前記各球体３と前記基板７とが前記スポンジ６ａを貫通する結束バンド８で互いに連結されている（連結方法の詳細は後述する）。具体的には、前記基板７を挟んで表側スポンジ６ａと裏側スポンジ６ｂが配設される。前記基板７と、前記各スポンジ６ａ，６ｂの平面形状はほぼ同一である。前記表側スポンジ６ａは表側肌擦り生地９ａで覆われ、前記裏側スポンジ６ｂは裏側肌擦り生地９ｂで覆われる。そして、前記表側肌擦り生地９ａと前記裏側肌擦り生地９ｂの周縁部を重ね合わせ、この重ね合わせ部１１の全周に縁布１０を被せて縫合することで、前記肌擦り本体２が形成される。前記背中擦り用ベルト４は、その内端部を前記重ね合わせ部１１と前記縁布１０に重ね合わせて縫合することで、前記肌擦り本体２に対して連結することができる。
【００２０】
前記基板７は、所定の強度を有するプラスチック板である。例えば、ポリエチレン製の薄板を使用する。前記基板７は、前記肌擦り本体２に対して前記複数の球体３をしっかりと取り付けるためのものである。したがって、前記基板７は、前記肌擦り具１を繰り返し使用しても前記各球体３が前記肌擦り本体２から脱落しないだけの強度を備える。
【００２１】
前記各球体３は、前記肌擦り本体２の弾性を利用してその厚さ方向に沈み込ませて、前記肌擦り本体２の前記表面２ａ上に分布させられる。前記各球体３は、直径１５ｍｍ程度のプラスチック球であり、その半分又は半分よりやや多くが前記肌擦り本体２の厚さ方向に沈み込んだ状態とされる。前記複数の球体３間には、前記表側スポンジ６ａで支持された前記表側肌擦り生地９ａからなる肌擦り面１２が延在する。このため、前記肌擦り本体２の前記表面２ａ側を肌に当てることにより、前記肌擦り面１２と前記各球体３とが共に肌に接触する。そして、前記肌擦り本体２の前記表面２ａ側で肌を擦ると、前記肌擦り面１２は垢落とし作用を奏し、前記各球体３は身体へのマッサージ作用を奏する。
【００２２】
既に述べたように、前記各球体３は、前記基板７に対して、前記結束バンド８を用いて連結される。該結束バンド８としては、多数のケーブル等を結束するために市販されている、それ自体周知の結束バンドを用いることができる。この結束バンド８は、詳細には図示していないが、一端側にバンド挿通孔と爪を有し、他端側に前記爪と係合する抜け止め片をバンドの長さ方向に多段的に有する。
【００２３】
具体的には、前記各球体３には、前記結束バンド８を挿通するための取付孔１３が球体の中心から外れた位置に貫通形成される。また、前記表側肌擦り生地９ａと前記表側スポンジ６ａと前記基板７にも、前記結束バンド８を挿通するための孔が一本の結束バンドについて二つづつ形成される。これらの孔と前記球体３の取付孔１３に前記結束バンド８をループ状に挿通し、前記基板７の裏面側で前記結束バンド８を締め付けて固定する。該結束バンド８の余分な部分は前記基板７の裏側でカットする。こうして、前記肌擦り本体２の上半部が形成される。該上半部に対し、前記基板７の裏面に前記裏側スポンジ６ｂと前記裏側肌擦り生地９ｂとを重ね合わせ、既に述べたように周囲を縫合して前記肌擦り本体２を形成する。
【００２４】
前記肌擦り具１は、浴室で身体を洗うために使用する。前記肌擦り本体２自体を手で握って使用してもよいし、前記背中擦り用ベルト４，４を利用して前記肌擦り本体２を背中に回して使用してもよい。いずれの場合にも、前記肌擦り本体２の前記表面２ａ側を肌に当てて擦ることで、垢落とし効果とマッサージ効果が得られる。身体を洗いながらマッサージ効果も得られるので、効率も良く気持ちも良い。一方、前記肌擦り本体２の前記裏面２ｂ側で肌を擦ると、前記表面２ａ側で擦る場合よりも良好な垢落とし効果が得られる。したがって、前記表面２ａ側と前記裏面２ｂ側を必要に応じて選択して使用することで異なる美容効果が得られる。
【００２５】
なお、前記肌擦り具１は、浴用として用いるのが最も普通であるが、これに限定される理由はなく、乾布摩擦など、浴室以外の場所でも使用できることはもちろんである。
【符号の説明】
【００２６】
２    肌擦り本体
２ａ  一方の面（表面）
２ｂ  他方の面（裏面）
３    球体
４    背中擦り用ベルト
６ａ  スポンジ（表側スポンジ）
７    基板
８    結束バンド
１２  肌擦り面
【図１】
0003154701.tif 000003
【図２】
0003154701.tif 000004